(57)【要約】【課題】技術的により合理的な側面を有し、且つ製品体系の充実が容易で、より低コスト化、納期の短縮化を図ることのできるトランスファクレーン用の減速機を得る。【解決手段】コンテナ等を荷役するトランスファクレーンを駆動するために用いられるトランスファクレーン用の減速機Ｇにおいて、モータＭ側から入力される回転動力によって回転するハイポイドピニオン１０８と、該ハイポイドピニオン１０８と噛合するハイポイドギヤ１１０とを備える。後段には、一段の平行軸ギヤセット１１３が連結される。【選択図】図１
2004218834.tif 000002
【特許請求の範囲】
【請求項１】
コンテナ等を荷役するトランスファクレーンを駆動するために用いられるトランスファクレーン用の減速機において、
駆動源側から入力される回転動力によって回転するハイポイドピニオン及び該ハイポイドピニオンと噛合するハイポイドギヤを有するハイポイドギヤセットを備え、
該ハイポイドギヤセットの後段に１段の平行軸ギヤセットを連結し、
該平行軸ギヤセットの減速軸を当該減速機の出力軸とした
ことを特徴とするトランスファクレーン用の減速機。
【請求項２】
請求項１において、
前記ハイポイドピニオンを、前記ハイポイドギヤと噛合するヘッド部と該ヘッド部以外の筒部とを有する構成とすると共に、
更に、一方の端面に前記駆動源の駆動軸が挿入可能とされた第１凹部を、他方の端面に前記ハイポイドピニオンの筒部が挿入可能とされた第２凹部を、それぞれ同軸に有する継軸を備え、
前記継軸を、軸受を介してケーシングに収容し、
該継軸を収容したケーシングを介して当該減速機を駆動源側のケーシングに連結可能とした
ことを特徴とするトランスファクレーン用の減速機。
【請求項３】
請求項２において、
前記第２凹部の深さ又はハイポイドピニオンの筒部の長さの少なくとも一方の調整により、前記ハイポイドピニオンのヘッド部の軸方向位置を調整可能とした
ことを特徴とするトランスファクレーン用の減速機。
【請求項４】
請求項１〜３のいずれかにおいて、
前記ハイポイドギヤが中間軸に装着されており、且つ該中間軸に対する前記ハイポイドギヤの軸方向位置を調整可能なスペーサを備え、
該スペーサの存在により、該ハイポイドギヤの中間軸における装着位置を調整可能とした
ことを特徴とするトランスファクレーン用の減速機。
【請求項５】
請求項２〜４のいずれかにおいて、
前記継軸を用いることにより、前記ヘッド部が異なるハイポイドピニオンを同一の駆動源の前記駆動軸と連結可能とした
ことを特徴とするトランスファクレーン用の減速機。
【請求項６】
請求項２〜５のいずれかにおいて、
前記継軸の前記第１凹部の変更により、異なる駆動源の前記駆動軸に連結可能とした
ことを特徴とするトランスファクレーン用の減速機。
【請求項７】
請求項２〜６のいずれかにおいて、
前記継軸の前記第１凹部、第２凹部の少なくとも一方の変更により、複数種のハイポイドピニオンを、異なる駆動源の前記駆動軸に連結可能とした
ことを特徴とするトランスファクレーン用の減速機。
【請求項８】
請求項１〜７のいずれかにおいて
前記ハイポイドギヤの組み込まれた軸及び前記出力軸の双方が、前記ハイポイドピニオンの軸心と直角の単一の平面上に配置されている
ことを特徴とするトランスファクレーン用の減速機。
【請求項９】
請求項８において
前記減速機のケーシング本体が、前記単一の平面を境に分割可能とされている
ことを特徴とするトランスファクレーン用の減速機。
【請求項１０】
請求項９において
前記減速機が、前記単一の平面が地面と平行な水平面となるように、トランスファクレーンに装着可能とされた
ことを特徴とするトランスファクレーン用の減速機。
【請求項１１】
コンテナ等を荷役するトランスファクレーンを駆動するために用いられるトランスファクレーン用の減速機において、
駆動源側から入力される回転動力によって回転するハイポイドピニオン及び該ハイポイドピニオンと噛合するハイポイドギヤを有するハイポイドギヤセットを備え、且つ
減速比が１０より大きく、且つ４０より小さな範囲に設定された
ことを特徴とするトランスファクレーン用の減速機。
【発明の詳細な説明】
【技術分野】
【０００１】
本発明はトランスファクレーン用の減速機に関する。
【背景技術】
【０００２】
トランスファクレーンは、一般に、港湾のコンテナヤード等においてコンテナなどの搬送・積み荷を行うために使用され、定格荷重は３０ｔｏｎから６０ｔｏｎ程度である。トランスファクレーンには、レールマウント式とラバータイヤ式の２つのタイプが知られている。レールマウント式のトランスファクレーンは、鋼製車輪を備え、定められたレール上を走行する。ラバータイヤ式のトランスファクレーンは、ゴムタイヤを備え、無軌道路面を自由に走行する（例えば、特許文献１参照）。
【０００３】
トランスファクレーンは、屋外で使用され、重量があり、且つ、クレーン全体（トランスファクレーン自体）が動く「自走式」であることから、一般にはディーゼルエンジンを搭載して発電機を回し、駆動源（モータ）の電力を得ている。
【０００４】
図６はトランスファクレーンの走行駆動装置の一部を示す正面図であり、図の右側に位置する車輪１０Ａが駆動輪、左側に位置する車輪１０Ｂが従動輪である。図７に、模式的に示すように、トランスファクレーンの底部においては、このような駆動及び従動の組合せに係る一対の車輪１０Ａ、１０Ｂを備えた駆動系が矩形の対角の頂点相当位置にもう一系統備えられており、他の対角の頂点相当位置には、単に従動するのみの一対の従車輪１０Ｂ、１０Ｂがそれぞれ配備されている。
【０００５】
図６に戻って、モータ１２は、継手１４を介して減速機１６と連結されている。トランスファクレーン用の減速機１６は、設置スペース上の問題から、一般には駆動輪１０Ａの斜め上部に取り付けられる。また、減速機１６を取り付けたときのモータ軸（駆動軸）１２Ａの軸心の方向と車輪１０Ａの車軸１０Ｃの軸心の方向との関係で、該減速機１６には直交型が求められる。そのため、トランスファクレーン用の減速機１６には、通常、図８に示されるように、初段にベベルピニオン３０及びベベルギヤ３２からなるベベルギヤセット３４が搭載されている。直交を実現するために、ベベルギヤセット３４が搭載されていたのは、主にコスト及び伝達効率上、ベベルギヤセット３４が最も妥当であると考えられたためと推察される。
【０００６】
ベベルギヤセット３４による１段の減速だけではトランスファクレーンの駆動に必要な減速比を得ることができないため、該ベベルギヤセット３４の後段に２段の平行軸ギヤセット３６、３８が連結され、ベベルギヤセット３４を含めて計３段の減速機構を介して出力軸４０が駆動される構成とされている。
【０００７】
再び図６を参照して、この減速機１６の出力軸４０にはスプロケット４２が組付けられている。また、車輪１０Ａの車軸１０Ｃにもスプロケット４４が組付けられており、両スプロケット４２、４４がチェーン４６を介して互いに連結されている。
【０００８】
モータ１２の回転は、ベベルギヤセット３４、２段の平行軸ギヤセット３６、３８及びチェーン４６の各減速機構によって減速されて車軸１０Ｃに伝達され、この車軸１０Ｃの回転により車輪１０Ａが回転する。
【０００９】
【特許文献１】特開平１１−７９４０９号公報
【発明の開示】
【発明が解決しようとする課題】
【００１０】
直交を実現するための減速機構を「単体」で見た場合には、ベベルギヤセットは、確かに安価であり、また効率も高い。更に、ベベルギヤセットは、比較的運転騒音が大きいというデメリットがあるが、このデメリットはトランスファクレーンの使用環境においては、それほど大きなデメリットとはならない。
【００１１】
そのため、従来、トランスファクレーン用の減速機において直交を実現するための減速機構としては、当然のようにベベルギヤセットが用いられ、それ以外の減速機構が採用されることはなかった。
【００１２】
しかしながら、発明者がトランスファクレーンに使用される減速機に対して、減速機を納入するメーカーの立場、及びユーザの立場から、技術的により深く検討した結果、従来当然のように用いられてきたベベルギヤセットは、必ずしも最良の結果をもたらすものではないことが判明した。
【００１３】
本発明は、この知見に基づいてなされたものであって、技術的により合理的な側面を有し、且つ製品体系の充実が容易で、より低コスト化、納期の短縮化を図ることのできるトランスファクレーン用の減速機を提供することをその課題としている。
【課題を解決するための手段】
【００１４】
本発明は、コンテナ等を荷役するトランスファクレーンを駆動するために用いられるトランスファクレーン用の減速機において、駆動源側から入力される回転動力によって回転するハイポイドピニオン及び該ハイポイドピニオンと噛合するハイポイドギヤを有するハイポイドギヤセットを備え、該ハイポイドギヤセットの後段に１段の平行軸ギヤセットを連結し、該平行軸ギヤセットの減速軸を当該減速機の出力軸としたことにより、上記課題を解決したものである。
【００１５】
本発明では、減速機の直交を実現する減速機構として、敢えてハイポイドギヤセットを採用した。その理由は以下の通りである。
【００１６】
第１の理由は、製品体系（シリーズ）としての全体コストを引き下げることができ、結果として、減速機１台当たりの製造コストを低減し、納期を短縮することができるためである。
【００１７】
前述したように、直交を実現するための減速機構を「単体」で見た場合には、ベベルギヤセットは、確かに安価であり、また効率も高い。
【００１８】
しかしながら、ベベルギヤセットの場合、選択できる減速比の絶対値が小さいため、トランスファクレーンの用途において必要とされる減速比（１０〜４０、一般的には１４〜３２）を確保しようとすると、該ベベルギヤセットに対して２段の平行軸ギヤセットを連結した３段型の減速機が必要になってしまう。又、選択できる減速比の幅も小さいため、製品体系として網羅・確保しようとするトータルの減速比の幅によっては、更に２段型の減速機が必要になることもある。
【００１９】
３段型の減速機は、大きさ、重量の何れの面においてもかなり大きなものとなってしまい、コスト増に直結する。又、２段型及び３段型の双方において、別途製品群を揃えるには、ケーシングを含め、多くの部材について別途の設計をしなければならず、全体としてのコストは更に上昇してしまう。そのため、（たとえ単体としては安価なベベルギヤセットを採用したとしても）トランスファクレーン用の(定格トルクが６ｋＮｍよりも大きいような)減速機に適用する場合、その一台当たりのコストは必ずしも低減できない。
【００２０】
これに対し、ハイポイドギヤセットは、減速比の調整幅が広く、１段で大きな減速比を得ることができ、そのため、トランスファクレーンの駆動用として要求される大半の減速比を得るのに、該減速機の減速段数をハイポイドギヤセットと平行軸ギヤセットの計２段で済ませることができる。
【００２１】
これにより、設計の負荷がほぼ半減するだけでなく、シリーズ全体の部品点数を減少させることができ、特に減速機ケース、回転軸、各種ギヤなどの大型部品の共用化を促進できる。そのため、在庫負担を軽減でき、結果として減速機一台当たりのコストを低減できる。
【００２２】
第２の理由は、３段を２段で済ませることができることに起因して、減速機の軽量化、小型化が図れることである。
【００２３】
なお、同じ２段型同士の比較でも、ハイポイドギヤセットを用いた減速機は、ベベルギヤセットを用いた減速機に比べ、ハイポイドピニオンの軸心とハイポイドギヤの軸心とが交差しないため、やはりピニオン軸方向を小型化できる。
【００２４】
減速機の小型化は、設置スペース上の制約の強いトランスファクレーン用途の減速機として大きなメリットとなる。また、同一の外形の場合、より容量の大きな減速機を使用できることを意味し、該減速機の耐久性の向上に寄与させるような設計とすることもできる。
【００２５】
第３の理由は、ハイポイドギヤセットの有する逆転防止機能がトランスファクレーンの用途において有効に機能するということである。
【００２６】
ハイポイドギヤセットにおける「逆転防止機能」は、ベベルギヤセットにおけるそれよりも高い。ここで言う「逆転防止機能」とは、負荷側（車輪側）から減速機の出力軸を介して加えられた反力あるいは慣性力によって、減速機の入力軸側（モータ側）が回転させられるのを阻止する機能のことである。
【００２７】
従来のベベルギヤセットには、逆転防止機能が殆どないため、トランスファクレーンが減速する際に、車輪側の慣性力によって減速機の出力軸が回転されると、その回転動力は該減速機の入力軸を介してモータ側にまでほぼそのまま伝達されていた。そのため、トランスファクレーンの制動負荷は、専らモータに付設された制動機構のみの負担となり、該制動機構には相応の強度対策および放熱対策が必要とされていた。
【００２８】
これに対し、ハイポイドギヤセットにはより高い「逆転防止機能」があるため、たとえ車輪側の慣性力によって減速機の出力軸が回転されたとしても、その回転動力の一部をハイポイドギヤセットの部分で受け止め、これがモータ側にまで到達する割合を減少させることができる。
【００２９】
この結果、モータ側に付設する制動機構の強度対策、あるいは放熱対策をより緩和することができ、また、従来と同程度の性能を有する制動機構を付設した場合には、より確実且つ安定した制動効果を得ることができ、耐久性を向上させることができる。
【００３０】
第４の理由は、この第３の理由に関係して、本発明に係る減速機が搭載されたトランスファクレーンでは、減速時に適度の（弱い）エンジンブレーキに類似する減速促進力が掛かるので、徐行時等においてアクセルワークのみによる加減速がし易くなるということである。即ち、走行の大半を占める低速走行時において、頻繁にアクセル操作とブレーキ操作を繰り返さなくても済むようになり、オペレータの運転操作性が向上する。
【００３１】
この他（第５の理由として）、ハイポイドギヤセットの特性上、使用環境においてベベルギヤセットを使用した場合に比べ、運転騒音の低減も期待できる。
【００３２】
このように、本発明においては、トランスファクレーン用の減速機において、その直交を実現するための減速機構として、敢えてハイポイドギヤセットを採用し、且つ減速機全体を２段型とするようにしたため、従来のベベルセットを採用した減速機（或いは減速機シリーズ）では得られない多くの利点を得ることができる。
【００３３】
なお、本発明の具体的なバリエーションとして、例えば、前記ハイポイドピニオンを、前記ハイポイドギヤと噛合するヘッド部と該ヘッド部以外の筒部とを有する構成とすると共に、更に、一方の端面に前記駆動源の駆動軸が挿入可能とされた第１凹部を、他方の端面に前記ハイポイドピニオンの筒部が挿入可能とされた第２凹部を、それぞれ同軸に有する継軸を備え、前記継軸を、軸受を介してケーシングに収容し、該継軸を収容したケーシングを介して当該減速機を駆動源側のケーシングに連結可能とした構成が考えられる。
【００３４】
この場合、該継軸を収容したケーシングは、減速機本体のケーシングと一体としても良いし、別体としても良い。
【００３５】
トランスファクレーンの駆動装置の分野においては、一般に駆動源（モータ）と減速機の納品は別々となることが多い。即ち、「既に取付けられている（あるいは取り付けることが決まっている）モータに合致するように、減速機を取り付ける」という要請が少なくない。
【００３６】
そのため、従来は、図６を用いて既に説明したように、継手を介して減速機をモータに取り付ける方法が一般的に採用されていた。しかしながら、この取付方法は、モータ及び減速機全体の軸方向長さが長くなり、取付スペース増大の原因となっていた。
【００３７】
上述したような構造の継軸を備え、該継軸を介してモータと減速機を連結するようにすると、モータ及び減速機全体の軸方向長さを短縮できるだけでなく、継軸の第２凹部の深さ（軸方向長さ）や内径の変更によって、多種多様なハイポイドピニオンを容易に組み込み・支持することができ、且つ、そのヘッド部の軸方向位置を任意に規定できる。
【００３８】
また、この構成と、スペーサを用いてハイポイドギヤを中間軸の軸方向の任意の位置に装着する構成とを組み合わせることにより、任意のハイポイドピニオンと任意のハイポイドギヤの組合せを、支障なく同一のケーシングに組み込むことができるようになり、減速比を容易に調整することができる。
【００３９】
また、継軸の第１凹部の深さ（軸方向長さ）や内径の変更によって、さまざまなモータに対して、減速機を合致させるようにして取り付けることができるようになり、設置スペースの減少を図りながら、減速機自体のモータに対する適応性を増大できる。
【００４０】
継軸を配備することによるメリットについては、後に詳述する。
【００４１】
なお、トランスファクレーン用の減速機として機能し得る定格トルクは一般には６ｋＮｍ以上であり、減速比は、１４〜３２程度である。この程度の範囲ならば、本発明に係るハイポイドギヤセットを用いた２段型の減速機で十分対応できる。本発明は、ハイポイドギヤセットを用いることにより、他の減速機構のタイプ（構造）の如何に関わらず、これらの範囲のトランスファクレーン用の減速機に適用可能である。
【発明の効果】
【００４２】
本発明によれば、技術的により合理的な側面を有し、且つ製品体系の充実が容易で、より低コスト化、納期の短縮化を図ることのできるトランスファクレーン用の減速機を得ることができるようになるという優れた効果が得られる。
【発明を実施するための最良の形態】
【００４３】
以下、図面に基づいて本発明の実施形態を詳細に説明する。
【００４４】
この実施形態における、モータ〜減速機〜チェーン〜車軸に至る基本的な動力伝達構成は、既に説明した従来の構成とほぼ同様であるため、重複説明は省略するものとし、ここでは、トランスファクレーン用の減速機周辺の構成を中心に詳細に説明する。
【００４５】
図１及び図２は、モータ（駆動源）Ｍ及び減速機Ｇ付近の構成を示している。図３は図１の要部拡大図である。
【００４６】
モータＭは、そのモータ軸１０２の反負荷側にインバータ装置１０４、ブレーキ装置（制動機構）１０６を備え、オペレータの操作によって、いつでも走行中の最適な加速・制動制御が可能な構成とされている。
【００４７】
ブレーキ装置１０６は、エンジン停止時を含む非運転時において制動力がフルに働いて停止時の機械的なロックが可能とされており、走行時にオペレータの加速・制動操作等に応じて該制動の程度が適宜に調整されるようになっている。
【００４８】
このブレーキ装置１０６は、後述するように、減速機内のハイポイドギヤセットの逆転防止機能が、従来のベベルギヤセットのそれよりも高いことから、その容量が従来より低減されている。なお、容量を従来のままとした場合には、より確実な制動効果を得ることができる。
【００４９】
モータＭは、継軸機構Ｊを介して、減速機Ｇ側と連結されている。
【００５０】
減速機Ｇは、その初段減速機構として、ハイポイドピニオン１０８及びハイポイドギヤ１１０を備えたハイポイドギヤセット１１２を備え、更に、その後段に、もう１段の平行軸ギヤセット１１３を備える。トランスファクレーン用途の減速機であるため、該減速機Ｇの定格トルクは６ｋＮｍよりも大きく（一般的には９ｋＮｍより大きく）、具体的には１０ｋＮｍ付近に設定される。定格トルクが大きいというのが、トランスファクレーン用途の減速機Ｇの特徴である。なお、本発明においてはトランスファクレーン用の減速機の上限は特に限定されないが、一般には１６ｋＮｍ程度まで（多くは１２ｋＮｍ程度まで）の範囲のものが使用される。
【００５１】
以下より具体的に説明する。
【００５２】
継軸機構Ｊは、継軸１１４を備える。該継軸１１４には第１の凹部１１６と第２の凹部１１８がその軸方向両端面側から軸方向中央側に向けてそれぞれ同軸に形成されている。モータ軸１０２は第１の凹部１１６に挿入され、キー１２０を介して継軸１１４と回転方向に一体化されている。
【００５３】
一方、ハイポイドギヤセット１１２のハイポイドピニオン１０８は、オフセット量Ｅを有してハイポイドギヤ１１０と噛合するヘッド部１０８Ａと、該ヘッド部１０８Ａと同軸に且つ段差を有して円筒状に形成された円筒部（筒部）１０８Ｂとを備える。この筒部１０８Ｂにはその外周にローレット加工が施されており、前記継軸１１４の第２の凹部１１８に挿入・圧着されることにより、該継軸１１４と回転方向に一体化されている。
【００５４】
継軸１１４の第２の凹部１１８の底部１１８Ａは、ハイポイドピニオン１０８の端部１０８Ｃが当接することにより該ハイポイドピニオン１０８の継軸１１４に対する軸方向位置が決定される基準壁部を構成している。
【００５５】
なお、図示はされていないが、第１の凹部の側から継軸１１４のこの基準壁部（１１８Ａ）を貫通してハイポイドピニオン１０８の軸心部にボルト等を螺合するようにすると、ハイポイドピニオン１０８と継軸１１４との結合をより強固に維持することができる。
【００５６】
継軸１１４の外周にはリング状の凸部１１４Ａが形成されており、継軸１１４を減速機Ｇのケーシング１４０に対して回転自在に支持するための一対の軸受１５０、１５２の間の距離を規定している。
【００５７】
ケーシング１４０には、この一対の軸受１５０、１５２のうちのハイポイドピニオン１０８のヘッド部１０８Ａが存在する側の軸受１５０を係止するための係止突起１４０Ａがその内周側の端部に形成されている。軸受１５０は、この係止突起１４０Ａと継軸１１４のリング状の凸部１１４Ａとに挟まれて軸方向に位置決めされている。なお、符号１５６はシム、１５８はオイル溜まりとして機能するリング状の溝である。
【００５８】
ハイポイドギヤ１１０は、中間軸１６０にキー１６２を介して組み込まれている。中間軸１６０は軸受１６４、１６６を介してケーシング１４０に回転自在に支持されている。ハイポイドギヤ１１０の中間軸１６０の軸方向の位置決めは、該中間軸１６０に形成した段差部１６０Ａとケーシング１４０に組み込まれたスナップリング１７０、１７２、軸受１６４、１６６及びスペーサ１７６とにより行われる。中間軸１６０にはピニオン１８０が直切りされており、ギヤ１８２との噛合により（ハイポイドギヤセット１１２の後段に）もう１段の平行軸ギヤセット１１３を形成している。ギヤ１８２は出力軸１８４にキー１８６を介して連結されている。出力軸１８４は軸受１８８、１９０を介してケーシング１４０に回転自在に組み込まれている。
【００５９】
図６を用いて既に説明してあるため、重複説明及び再度の図示は省略するが、出力軸１８４にはスプロケット（４２）が装着され、チェーン（４６）を介して車軸（１０Ａ）が回転する構成とされている。
【００６０】
ところで、ハイポイドギヤセット１１２を用いた動力伝達は、その構造上、滑りを伴いながらの伝達となるため、これをトランスファクレーンのような高容量・高トルクの減速機に単純に適用した場合、荷重条件によっては耐久性が低下する場合がある。そこでこの実施形態では、当該減速機Ｇの潤滑油として、極圧添加剤入りのギヤオイルを使用するようにしている。極圧添加剤は、境界潤滑条件においての潤滑油の耐荷重能（極圧能）を向上させるために加えられる添加剤である。具体的には鉛石けん或いは硫黄−リン系の極圧添加剤が好適である。
【００６１】
更に、この実施形態では、当該減速機の潤滑油として、上記ギヤオイルの中で、特に油温４０℃における粘度が、６８ｃＳｔよりも大きく、且つ３２０ｃＳｔよりも小さな値を示すギヤオイルを使用するようにするようにしている。
【００６２】
この理由は次の通りである。即ち、従来、一般的な用途を目的としたハイポイドギヤセット１１２の潤滑油としては、耐久性を考慮してハイポイドギヤセット用の比較的粘度の高い潤滑油が使用されていた。しかしながら、ハイポイドギヤセット１１２におけるハイポイドピニオン１０８とハイポイドギヤ１１０の噛合は、もともと図８で示したようなベベルギヤセット３４におけるベベルピニオン３０とベベルギヤ３２の噛合に比べてより多くの滑りを伴うため、これをトランスファクレーンのような高容量・高トルクの伝達機構に採用した場合、温度上昇によってオイルの粘度が低下し、歯面での油膜切れを引き起こす原因となり、必ずしも好ましくない。一方、トランスファクレーンの減速機Ｇは、かなりの内容積を有するため、（粘度の低い）ギヤオイルを豊富に保有することができる。そのため、該ギヤオイルを用いて跳ねかけによる冷却効果を得る方がむしろ信頼性が高く、この観点から粘度は３２０ｃＳｔ未満に抑えた方が好ましい。
【００６３】
但し、粘度があまり低くなりすぎると、（滑りを伴って噛合する）歯面間に油膜が十分に確保できなくなるため、やはり好ましくない。最適な粘度は、６８ｃＳｔ〜３２０ｃＳｔの範囲、より好ましくは１００ｃＳｔ〜２２０ｃＳｔの範囲である（何れも油温４０℃における値）。
【００６４】
尤も、本発明では、潤滑油の種類については、特に限定されない。
【００６５】
更に、前記ハイポイドピニオン或いはハイポイドギヤの素材としては、クロムモリブデン鋼が好適である。クロムモリブデン鋼はハイポイドギヤセットの耐久性の一層の向上に寄与し得る特殊鋼である。
【００６６】
なお、この実施形態では、継軸機構Ｊ部分のケーシングを減速機本体のケーシング１４０と一体化しているが、交換性、あるいは代替性を重視する場合には、これらを別体とするようにしてもよい。
【００６７】
次にこの実施形態の作用を説明する。
【００６８】
モータＭのモータ軸１０２が回転すると、これと一体的に継軸１１４が回転し、ハイポイドピニオン１０８も一体的に回転する。ここで、ケーシング１４０の係止突起１４０Ａ、軸受１５０、継軸１１４の凸部１１４Ａを介して継軸１１４の凹部１１８の基準壁部１１８Ａがケーシング１４０に対して軸方向に位置決めされており、ハイポイドピニオン１０８は自身の端部１０８Ｃと基準端部１１８Ａとの当接により継軸１１４に対して軸方向に位置決めされているため、ハイポイドピニオン１０８はケーシング１４０に対して自身の軸方向の位置決めが極めて正確に行われる。
【００６９】
また、ハイポイドピニオン１０８が継軸１１４の第２凹部１１８に嵌合される構成とされていることから、該第２凹部１１８の深さ（軸方向長さ）或いはハイポイドピニオン１０８の筒部１０８Ｂの長さの調整により、そのヘッド部１０８Ａの軸方向位置を調整することができる。
【００７０】
一方、前記シム１５６の存在により、軸受１５０および軸受１５２の焼き付き防止のための軸受隙間を調整することができる。
【００７１】
これにより任意の大きさ（歯数）のハイポイドピニオン（１０８）と任意の大きさ（歯数）のハイポイドギヤ（１１０）の組合せのハイポイドギヤセット（１１２）をケーシング１４０内に支障なく装着でき、意図する減速比に調整できる。
【００７２】
この結果、トランスファクレーン用の減速機として必要な減速比１０〜４０（一般的には１４〜３２）を２段の減速機構のみで実現することができ、しかも、これらのさまざまなハイポイドセット(１１２)を（同一の２段の）ケーシング１４０内に収容することが可能となる。
【００７３】
また、従来の３段型より減速機自体をより小型化できるのはもちろん、ベベルセットを用いた従来の２段型と比べてもより小型化できる。
【００７４】
更に、継軸１１４を用いることにより、ヘッド部１０８Ａが異なるハイポイドピニオン１０８を同一のモータＭのモータ軸１０２と連結可能とできるため、モータ（駆動源）が同一でも種々の減速特性のトランスファクレーンの駆動系を構築できる。
【００７５】
また、継軸１１４の第１凹部１１６の変更により、モータ軸１０２が異なっても減速機Ｇ側でこれに合致させて連結できるので、トランスファクレーンにどんなモータが既に取り付けられていたとしても、柔軟に対応できる。なお、モータが異なる場合には、そのケーシングの大きさも異なることが多いが、この場合には、アダプタ等を取り付けることにより、モータのケーシングに対する減速機のケーシングの取り合いを調整すればよい。
【００７６】
結局、継軸１１４が存在することで、その第１凹部１１６、第２凹部１１８のいずれか一方、又は双方の変更により、任意の減速比のハイポイドギヤセットを減速機Ｇのケーシング１４０内に支障なく組込むことができ、且つ、これを任意の駆動源に連結することができるものである。これにより、減速機のモータに対する選択・取付の多様性を確保でき、結果として一層の低コスト化、納期短縮を図ることができる。
【００７７】
また、モータＭと減速機Ｇが連結された状態における軸方向長を大きく短縮でき、取り付けスペースも縮小できる。
【００７８】
ここで、ハイポイドギヤセット１１２には、ピニオン側からギヤ側への動力伝達は円滑に行われるが、ギヤ側からピニオン側への動力伝達が、ベベルギヤセットに比べて行われにくいという特性がある。即ち、既に述べている「逆転防止機能」がハイポイドギヤセット１１２はベベルギヤセットよりも高い。そのため、トランスファクレーンが減速状態にあって、車輪１０Ａ側からモータＭ側へ動力が伝達されてくるいわゆる逆駆動状態が形成されているときに、その動力伝達の一部を阻止する機能をハイポイドギヤセット１１２が担うことができる。
【００７９】
そのため、ブレーキ装置１０６の容量を若干低減しても、従来と同等の制動機能を得ることができ、ブレーキ装置１０６の強度対策及び放熱対策をその分軽減できると共に、そのコスト及び重量を低減できる。また、従来と同等のブレーキ装置を装着した場合には、より確実な制動機能を得ることができる。
【００８０】
更に、減速時において一般車両におけるいわゆるエンジンブレーキと類似する若干の減速促進作用が得られるため、特に（トランスファクレーンにおいて頻繁に行われる）低速での走行において、アクセルワークのみでその加減速を容易に行うことができるようになり、オペレータの運転操作性を向上させることができる。
【００８１】
また、ハイポイドギヤセット１１２を用いているため、運転時の騒音を従来に比べてより低減できる。
【００８２】
図４に、本発明の他の実施形態の例を示す。
【００８３】
この実施形態では、ハイポイドギヤ２１０の組み込まれた中間軸２６０と出力軸２８４の双方の軸心Ｏ１、Ｏ２が、ハイポイドピニオン２０８の軸心Ｏ３と直角の単一の平面（図４の紙面と垂直な平面）Ｐ上に配置されている。即ち、減速機Ｇ２内のハイポイドピニオン２０８（及びモータＭ２）の軸心Ｏ３は、中間軸２６０と出力軸２８４の双方の軸心Ｏ１、Ｏ２と垂直である。更に、この実施形態の場合、平面視で（図４の上から見て）ハイポイドピニオン２０８の軸心Ｏ３が、中間軸２６０の軸心Ｏ１と出力軸２８４の軸心Ｏ２の間に位置している。その結果、減速機Ｇ２のハイポイドピニオン２０８の軸方向の長さ（モータＭ２の軸方向の長さ）Ｌを先の実施形態より短くすることができ、モータＭ２を取付けた状態での全体の大きさをよりコンパクト化できる。また、形状的にも重心が低く据付の安定性をより向上させることができる。
【００８４】
また、この実施形態では、図４及び図５（Ａ）に略示されるように、この平面Ｐは水平面とされる。即ち、この減速機Ｇ２は、当該平面Ｐが地面と平行な水平面となるように図示せぬトランスファクレーンに装着可能とされている。また、ケーシング２４０がこの水平な平面Ｐを境に上下のケーシング本体２４０Ａ、２４０Ｂに分割可能とされている。そのため、中間軸２６０、出力軸２８４その他の減速機Ｇ２内の各構成要素の組みつけが容易であり、また、減速機Ｇ２の潤滑油ＯＬの油面ＯＬ１をこのケーシング本体２４０Ａ、２４０Ｂの合わせ面（平面Ｐ）よりも下に設定することができる。そのため、図５（Ｂ）で示される先の実施形態のケーシング１４０との比較からも明らかなように、潤滑油漏れの心配もなく、また、より少ない油量で潤滑を行うことができる。特に、ハイポイドギヤ２１０の潤滑に際して出力ギヤ２８２からの潤滑油ＯＬの「跳ねかけ」が期待できるため、潤滑不良による焼き付きの恐れも低減でき、耐久性をより向上させることができるようにもなる。
【００８５】
そのため、コンパクトで、安定性が高く、組み付け性も高く、且つ耐久性の高い減速機が得られる。なお、必ずしも軸心Ｏ１、Ｏ２が同一平面上にある必要はなく、軸２６０、２８４が同一平面上にあれば良い。
【００８６】
その他の構成は、先の実施形態と同様であるため、重複説明を省略する。
【図面の簡単な説明】
【００８７】
【図１】本発明の実施形態に係るトランスファクレーン用の減速機がモータと連結されている構成を示す断面図
【図２】図１の矢視II方向視図
【図３】図１の継軸付近の要部拡大断面
【図４】発明の他の実施形態に係るトランスファクレーン用の減速機がモータと連結されている構成を示す略示正断面図
【図５】滑油の封入態様を説明するための略示断面図
【図６】従来のトランスファクレーン用の駆動装置の車輪付近の構成を示す要部正面図
【図７】トランスファクレーンの車輪の配置構成を模式的に示す平面図
【図８】従来のトランスファクレーン用の減速機
【符号の説明】
【００８８】
Ｍ…モータ
Ｊ…継軸機構
Ｇ…減速機
１０Ａ…車輪（駆動輪）
４２、４４…スプロケット
４６…チェーン
１０２…モータ軸
１０６…ブレーキ装置
１０８…ハイポイドピニオン
１０８Ａ…ヘッド部
１０８…筒部
１１０…ハイポイドギヤ
１１２…ハイポイドギヤセット
１１４…継軸
１１６…第１の凹部
１１８…第２の凹部
１４０…ケーシング
１５６…シム
１８４…出力軸
【図１】
2004218834.tif 000003
【図２】
2004218834.tif 000004
【図３】
2004218834.tif 000005
【図４】
2004218834.tif 000006
【図５】
2004218834.tif 000007
【図６】
2004218834.tif 000008
【図７】
2004218834.tif 000009
【図８】
2004218834.tif 000010